(57)【特許請求の範囲】
【請求項１】
定電流を供給する定電流電源回路と、
それぞれ少なくとも１つのＬＥＤからなり、前記定電流電源回路からの電流により当該少なくとも１つのＬＥＤを点灯させて互いに異なる色温度の光を発する複数の発光部であって、互いに直列に接続された複数の発光部のそれぞれに１つずつ並列に接続され、オンで導通状態になり、オフで遮断状態となる複数のスイッチ素子と、
前記複数の発光部のいずれかにおけるＬＥＤのオープン故障を検出する保護回路と、
前記保護回路がＬＥＤのオープン故障を検出していない場合、外部から指定された色温度を得るための前記複数のスイッチ素子のスイッチング動作を制御し、前記保護回路がＬＥＤのオープン故障を検出した場合、前記保護回路がＬＥＤのオープン故障を検出した発光部に接続されたスイッチ素子をオンになるように制御する制御回路とを備えることを特徴とするＬＥＤ電源装置。
【請求項２】
前記制御回路は、前記保護回路がＬＥＤのオープン故障を検出した場合、さらに、前記保護回路がＬＥＤのオープン故障を検出した発光部に接続されたスイッチ素子以外の少なくとも１つのスイッチ素子をオフになるように制御することを特徴とする請求項１に記載のＬＥＤ電源装置。
【請求項３】
前記制御回路は、前記複数のスイッチ素子の数をＮ個として、前記複数のスイッチ素子のうちいずれかをオフ、残りをオンになるように制御する期間は、前記定電流電源回路から供給される電流を、前記複数のスイッチ素子の全てをオフになるように制御する期間のＮ倍にすることを特徴とする請求項１又は２に記載のＬＥＤ電源装置。
【請求項４】
前記制御回路は、前記定電流電源回路から供給される電流を、前記複数の発光部のそれぞれに同じ電流を供給した場合の光束の比率に合わせて調節することで、前記複数の発光部の全体の光束を一定にすることを特徴とする請求項１から３までのいずれかに記載のＬＥＤ電源装置。
【請求項５】
定電流を供給する定電流電源回路と、
それぞれ少なくとも１つのＬＥＤからなり、前記定電流電源回路からの電流により当該少なくとも１つのＬＥＤを点灯させて互いに異なる色温度の光を発する複数の発光部であって、互いに並列に接続された複数の発光部のそれぞれに１つずつ直列に接続され、オンで導通状態になり、オフで遮断状態となる複数のスイッチ素子と、
前記複数の発光部のいずれかにおけるＬＥＤのオープン故障を検出する保護回路と、
前記保護回路がＬＥＤのオープン故障を検出していない場合、外部から指定された色温度を得るための前記複数のスイッチ素子のスイッチング動作を制御し、前記保護回路がＬＥＤのオープン故障を検出した場合、前記保護回路がＬＥＤのオープン故障を検出した発光部に接続されたスイッチ素子以外の少なくとも１つのスイッチ素子をオンになるように制御する制御回路とを備えることを特徴とするＬＥＤ電源装置。
【請求項６】
前記ＬＥＤ電源装置は、前記複数の発光部として２つの発光部を備え、
前記保護回路は、前記２つの発光部のいずれかにおけるＬＥＤのオープン故障を検出した場合、所定の信号を出力し、
前記制御回路は、前記保護回路から前記信号が出力された場合、前記２つの発光部のうち、一方の発光部に接続されたスイッチ素子をオンになるように制御するとともに、他方の発光部に接続されたスイッチ素子をオフになるように制御した後、前記保護回路から前記信号が継続して出力されているか否かを判定し、前記信号が継続して出力されていると判定した場合、当該一方の発光部に接続されたスイッチ素子をオフになるように制御するとともに、当該他方の発光部に接続されたスイッチ素子をオンになるように制御することを特徴とする請求項１から５までのいずれかに記載のＬＥＤ電源装置。
【請求項７】
前記保護回路は、前記定電流電源回路の出力電圧の上昇を検出することで、前記複数の発光部のいずれかにおけるＬＥＤのオープン故障を検出することを特徴とする請求項１から６までのいずれかに記載のＬＥＤ電源装置。
【請求項８】
請求項１から７までのいずれかに記載のＬＥＤ電源装置と、
それぞれ少なくとも１つのＬＥＤからなり、前記ＬＥＤ電源装置の定電流電源回路からの電流により当該少なくとも１つのＬＥＤを点灯させて互いに異なる色温度の光を発する複数の発光部であって、互いに直列に接続された複数の発光部とを備えることを特徴とするＬＥＤ照明器具。
【発明の詳細な説明】
【技術分野】
【０００１】
本発明は、ＬＥＤ電源装置及びＬＥＤ照明器具に関するものである。
【背景技術】
【０００２】
ＣＯ２削減のため高効率なＬＥＤ照明が求められている。さらに、使用環境に合わせた光色可変のＬＥＤ照明が求められている。
【０００３】
従来のＬＥＤ照明では、光色の異なる複数のＬＥＤ群を１つの照明器具に搭載し、それぞれのＬＥＤ群に個別に接続された定電流回路を１つずつ制御してＬＥＤ群ごとに明るさを変更することで、光色を可変にしていた（例えば、特許文献１参照）。
【先行技術文献】
【特許文献】
【０００４】
【特許文献１】特開２００９−３０２００８号公報
【発明の概要】
【発明が解決しようとする課題】
【０００５】
従来のＬＥＤ照明器具では、それぞれのＬＥＤ群に個別に定電流回路が接続されているので高価であり、また、ＬＥＤの電流が大きくなるとその定電流回路の損失が大きくなるという課題があった。また、直列接続されたＬＥＤは、そのうちの１個でもオープン故障すると電流が流れなくなるため、全てのＬＥＤが消灯してしまう。このような場合、照明器具が１台のみ配置された部屋は真っ暗になってしまう。また、照明器具が複数台配置された部屋においても、上記のような故障が発生した照明器具は真っ暗になり視環境が大きく損なわれる。さらに、オープン故障したＬＥＤの影響で定電流回路の出力電圧が上昇し、最終的には他のＬＥＤが破壊されるおそれがある。
【０００６】
本発明は、例えば、共通の定電流電源回路に接続されたＬＥＤの１つがオープン故障した場合に他のＬＥＤを保護することを目的とする。また、そのような場合に他のＬＥＤを点灯させることにより一定の明るさを確保することを目的とする。
【課題を解決するための手段】
【０００７】
本発明の一の態様に係るＬＥＤ電源装置は、
定電流を供給する定電流電源回路と、
それぞれ少なくとも１つのＬＥＤからなり、前記定電流電源回路からの電流により当該少なくとも１つのＬＥＤを点灯させて光を発する複数の発光部であって、互いに直列に接続された複数の発光部のそれぞれに１つずつ並列に接続され、オンで導通状態になり、オフで遮断状態となる複数のスイッチ素子と、
前記複数の発光部のいずれかにおけるＬＥＤのオープン故障を検出する保護回路と、
前記保護回路がＬＥＤのオープン故障を検出した発光部に接続されたスイッチ素子をオンになるように制御する制御回路とを備えることを特徴とする。
【発明の効果】
【０００８】
本発明の一の態様によれば、共通の定電流電源回路に接続され、それぞれ個別のスイッチ素子に並列に接続され、互いに直列に接続された複数の発光部の中に、ＬＥＤがオープン故障した発光部があると、ＬＥＤ電源装置の制御回路が、その発光部に接続されたスイッチ素子をオンになるように制御するため、他の発光部のＬＥＤを保護することができる。
【図面の簡単な説明】
【０００９】
【図１】実施の形態１に係る照明装置の回路図である。
【図２】（ａ）ＰＷＭ信号の波形の例を示す図、（ｂ）調光信号のデューティ比と明るさの関係を示すグラフ、（ｃ）色温度信号のデューティ比と色温度の関係を示すグラフである。
【図３】実施の形態１に係る照明装置の動作例を示すタイミングチャートである。
【図４】実施の形態２に係る照明装置の回路図である。
【図５】実施の形態３に係る照明装置の回路図である。
【図６】実施の形態３に係る照明装置の動作例を示すタイミングチャートである。
【発明を実施するための形態】
【００１０】
以下、本発明の実施の形態について、図を用いて説明する。
【００１１】
実施の形態１．
図１は、本実施の形態に係る照明装置１０（ＬＥＤ照明器具）の回路図である。
【００１２】
照明装置１０は、商用交流電源ＡＣが供給される電源装置２０（ＬＥＤ電源装置）と、この電源装置２０が出力する直流電流を入力して点灯するＬＥＤモジュール１１とを備える。
【００１３】
ＬＥＤモジュール１１は、複数の発光部として、ＬＥＤアレイ１ａ（「ＬＥＤ１」ともいう）（第１発光部）と、ＬＥＤアレイ２ａ（「ＬＥＤ２」ともいう）（第２発光部）とを備える。また、図示していないが、ＬＥＤモジュール１１は、ＬＥＤアレイ１ａとＬＥＤアレイ２ａとを実装する基板（例えば、プリント基板）を備える。ＬＥＤアレイ１ａ及びＬＥＤアレイ２ａは、それぞれ少なくとも１つのＬＥＤからなり、後述する出力定電流回路４０（定電流電源回路）からの定電流により当該少なくとも１つのＬＥＤを点灯させて光を発する。具体的には、ＬＥＤアレイ１ａは、色温度が例えば３０００Ｋ（ケルビン）の複数の第１光色ＬＥＤからなり、全体としても色温度が３０００Ｋの光（第１色の光）を発する。ＬＥＤアレイ２ａは、色温度が例えば５０００Ｋの複数の第２光色ＬＥＤからなり、全体としても色温度が５０００Ｋの光（第１色と異なる第２色の光）を発する。ＬＥＤアレイ１ａとＬＥＤアレイ２ａとは互いに直列に接続され、ＬＥＤアレイ１ａとＬＥＤアレイ２ａをそれぞれ構成する第１光色ＬＥＤと第２光色ＬＥＤは、交互に並ぶように基板上に実装される。このように、ＬＥＤアレイ１ａを構成する第１光色ＬＥＤとＬＥＤアレイ２ａを構成する第２光色ＬＥＤを交互に配置することで、第１光色ＬＥＤの発光色と第２光色ＬＥＤの発光色とが混合しやすくなる。
【００１４】
電源装置２０は、整流平滑回路３０、出力定電流回路４０、色温度制御回路５０、制御回路６０（例えば、マイクロコンピュータ）、電圧検出回路７０、保護回路８０を備える。整流平滑回路３０は、商用交流電源ＡＣをダイオードブリッジ３１により全波整流し、平滑コンデンサ３２により平滑して直流電圧を得る。出力定電流回路４０は、定電流を供給する。具体的には、出力定電流回路４０は、整流平滑回路３０の直流電圧を入力し、定電流の直流電流を出力する。色温度制御回路５０は、この出力定電流回路４０が出力する直流電流を入力し、接続されるＬＥＤモジュール１１に流れる電流を制御する。電圧検出回路７０は、出力定電流回路４０の出力電圧を電圧検出抵抗７１と電圧検出抵抗７２とで分圧して保護回路８０に印加する。保護回路８０は、この出力電圧をコンパレータ８１で基準電圧８２と比較する。そして、保護回路８０は、この出力電圧の上昇を検出することで、ＬＥＤアレイ１ａ及びＬＥＤアレイ２ａのいずれかにおけるＬＥＤのオープン故障を検出する。保護回路８０は、ＬＥＤアレイ１ａ及びＬＥＤアレイ２ａのいずれかにおけるＬＥＤのオープン故障を検出した場合、異常検出信号（所定の信号）を出力する。制御回路６０は、外部（調光器等）からの調光信号及び色温度信号を入力し、この入力した調光信号及び色温度信号に基づいて、出力定電流回路４０を制御する出力制御信号と色温度制御回路５０を制御する色温度制御信号を生成する。また、制御回路６０は、保護回路８０から異常検出信号が出力されている場合には、この異常検出信号を入力し、入力した異常検出信号に基づいて、保護回路８０がＬＥＤのオープン故障を検出したＬＥＤアレイに接続されたＦＥＴ（ＦＥＴ１又はＦＥＴ２）をオンになるように制御する。
【００１５】
電源装置２０（制御回路６０）に入力される調光信号は、ＰＷＭ（パルス幅変調）のデューティ比によって明るさの情報を示す信号（複数の発光部全体の調光度を指令する調光信号）である。電源装置２０（制御回路６０）に入力される色温度信号は、ＰＷＭのデューティ比によって色温度の情報を示す信号（複数の発光部全体の発光色を指令する調色信号）である。
【００１６】
出力定電流回路４０は、定電流制御用のＦＥＴ４１、抵抗４２、チョークコイル４３、トランジスタ４４、ダイオード４５、電流検出抵抗４６、定電流制御回路４７、電解コンデンサ４８を備える。定電流制御用のＦＥＴ４１は、ドレイン端子が整流平滑回路３０の高電位側に接続される。抵抗４２は、このＦＥＴ４１のドレイン端子とゲート端子に並列に接続される。チョークコイル４３は、一端がＦＥＴ４１のソース端子に接続される。トランジスタ４４は、コレクタ端子がＦＥＴ４１のゲート端子に接続され、エミッタ端子が整流平滑回路３０の低電位側に接続される。ダイオード４５は、カソード端子がＦＥＴのソース端子に接続され、アノード端子が整流平滑回路３０の低電位側に接続される。電流検出抵抗４６は、一端が整流平滑回路３０の低電位側に接続され、他端が後段の色温度制御回路５０に接続される。定電流制御回路４７は、電流検出抵抗４６の他端とトランジスタ４４のベース端子と制御回路６０に接続される。電解コンデンサ４８は、正極がチョークコイル４３を介してＦＥＴ４１のソース端子に接続され、負極が整流平滑回路３０の低電位側に接続される。
【００１７】
制御回路６０は、外部から入力された調光信号のデューティ比に応じて、出力定電流回路４０から出力される電流を制御するための出力制御信号を生成する。出力定電流回路４０の定電流制御回路４７は、制御回路６０からの出力制御信号を入力し、この入力した出力制御信号に基づいて、トランジスタ４４のスイッチングを制御し、このトランジスタ４４のスイッチングによりＦＥＴ４１をオン／オフさせて、所定の定電流を得る。この電流に応じて、ＬＥＤモジュール１１全体から発せられる光の明るさが変化する。
【００１８】
出力定電流回路４０とＬＥＤモジュール１１の基板との間の配線には直流電流のみが流れる。
【００１９】
色温度制御回路５０は、複数のスイッチ素子として、ＬＥＤアレイ１ａと並列接続されたスイッチ素子であるＦＥＴ１（第１スイッチ素子）と、ＬＥＤアレイ２ａと並列接続されたスイッチ素子であるＦＥＴ２（第２スイッチ素子）とを備える。また、色温度制御回路５０は、ＦＥＴ１とＦＥＴ２のオン／オフを制御するＦＥＴ駆動回路５１を備える。ＦＥＴ１及びＦＥＴ２は、それぞれオンで導通状態になり、オフで遮断状態となる。ＦＥＴ１とＦＥＴ２の接続点と、ＬＥＤアレイ１ａとＬＥＤアレイ２ａの接続点とが接続され、ＦＥＴ１はＬＥＤアレイ１ａと、ＦＥＴ２はＬＥＤアレイ２ａと、それぞれ並列接続されている。したがって、ＦＥＴ１がオンになるとＬＥＤアレイ１ａが短絡され、ＦＥＴ２がオンになるとＬＥＤアレイ２ａが短絡されることになる。
【００２０】
制御回路６０は、ＦＥＴ駆動回路５１を制御してＦＥＴ１のオン／オフを所定の周期で切り替えることで、ＦＥＴ１に接続されたＬＥＤアレイ１ａをその周期で点滅させる。また、ＦＥＴ駆動回路５１は、ＦＥＴ駆動回路５１を制御してＦＥＴ２のオン／オフを所定の周期で切り替えることで、ＦＥＴ２に接続されたＬＥＤアレイ２ａをその周期で点滅させる。具体的には、制御回路６０は、外部から入力された色温度信号のデューティ比に応じて、色温度制御回路５０がＦＥＴ１とＦＥＴ２をオン／オフする周期を制御するための色温度制御信号を生成する。色温度制御回路５０のＦＥＴ駆動回路５１は、制御回路６０からの色温度制御信号を入力し、この入力した色温度制御信号に基づいて、ＦＥＴ１とＦＥＴ２のオン／オフを制御する。このオン／オフの周期に応じて、ＬＥＤモジュール１１全体から発せられる光の色温度が変化する。
【００２１】
次に、照明装置１０の動作（照明制御方法）の説明をする。
【００２２】
図２（ａ）は、ＰＷＭ信号の波形の例を示す図である。図２（ｂ）は、調光信号のデューティ比と明るさの関係を示すグラフであり、図２（ｃ）は、色温度信号のデューティ比と色温度の関係を示すグラフである。
【００２３】
図２（ａ）に示すように、デューティ比（Ｄｕｔｙ）は、ＰＷＭ信号の立ち上がりエッジから次の立ち上がりエッジまでの時間（１周期の時間）Ｔに対する、ＰＷＭ信号の立ち上がりエッジから立ち下がりエッジまでの時間ｔの比率である。前述したように、外部から入力される調光信号、色温度信号は、ともにＰＷＭ信号であり、そのデューティ比（即ち、オン時間の割合）で動作（調光制御処理、色温度制御処理）を制御回路６０に指示する信号である。
【００２４】
図２（ｂ）に示すように、制御回路６０は、入力された調光信号のデューティ比が０％であれば、光源の明るさ（調光度）を１００％に調節し、入力された調光信号のデューティ比が１００％であれば、光源の明るさを０％に調節する（消灯させる）。制御回路６０は、調光信号のオン時間が長くなると、ＬＥＤアレイ１ａ及びＬＥＤアレイ２ａが発する光の明るさを暗くする。つまり、制御回路６０は、入力された調光信号のデューティ比が大きいほど、光源が暗く点灯するように制御する。
【００２５】
図２（ｃ）に示すように、制御回路６０は、入力された色温度信号のデューティ比が０％であれば、光源の色温度を５０００Ｋに調節し、入力された色温度信号のデューティ比が１００％であれば、光源の色温度を３０００Ｋに調節する。制御回路６０は、色温度信号のオン時間が長くなると、色温度が３０００Ｋの光を発するＬＥＤアレイ１ａが点灯する時間を長くし、色温度が５０００Ｋの光を発するＬＥＤアレイ２ａが点灯する時間を短くする。したがって、色温度信号のオン時間が長くなると、ＬＥＤアレイ１ａとＬＥＤアレイ２ａから発せられ、混ざり合った光の色温度は相対的にＬＥＤアレイ１ａが発する色温度である３０００Ｋに近づく。つまり、制御回路６０は、入力された色温度信号のデューティ比が大きいほど、光源の色温度が低くなるように制御する。
【００２６】
図３（ａ）及び（ｂ）は、照明装置１０の動作例を示すタイミングチャートである。
【００２７】
前述したように、照明装置１０の電源装置２０には、信号としてＰＷＭのデューティ比によって明るさの情報を入力する調光信号と、ＰＷＭのデューティ比によって色温度の情報を入力する色温度信号が印加されている。この２つの信号は制御回路６０が受信する。
【００２８】
制御回路６０は、調光信号に基づき、出力定電流回路４０の定電流制御用のＦＥＴ４１のスイッチングを制御して、チョークコイル４３、電解コンデンサ４８、ダイオード４５からなるＤＣ／ＤＣコンバータでその出力電流の値を制御して明るさを調節する。このとき、制御回路６０は、調光信号のデューティ比によって示された調光度を得るための定電流の電流値を指示する出力制御信号を出力定電流回路４０に入力する。なお、制御回路６０は、調光信号をそのまま出力制御信号として出力定電流回路４０に入力してもよい。出力定電流回路４０は、電流検出抵抗４６で出力電流、即ち、ＬＥＤに流す電流を検出して、定電流制御回路４７で出力制御信号が指示する電流値に合わせた定電流をＬＥＤへ供給する。
【００２９】
制御回路６０は、色温度信号に基づき、色温度制御回路５０のＦＥＴ１及びＦＥＴ２のスイッチングを制御して、ＦＥＴ１がオンの期間はＬＥＤアレイ１ａを短絡してその発光を停止させ、ＦＥＴ２がオンの期間はＬＥＤアレイ２ａを短絡してその発光を停止させる。このとき、制御回路６０は、色温度信号のデューティ比によって示された色温度を得るためのスイッチング動作を指示する色温度制御信号を色温度制御回路５０に入力する。なお、制御回路６０は、色温度信号をそのまま色温度制御信号として色温度制御回路５０に入力してもよい。色温度制御回路５０は、ＦＥＴ駆動回路５１で色温度制御信号が指示するスイッチング動作を行う。
【００３０】
前述したように、例えばＬＥＤアレイ１ａが３０００Ｋの発光色、ＬＥＤアレイ２ａが５０００Ｋの発光色とすれば、ＦＥＴ１及びＦＥＴ２がオフの期間は出力定電流回路４０はＬＥＤアレイ１ａ→ＬＥＤアレイ２ａに同じ電流を流し、その合成発光色は４５００Ｋとすることができる。一方、ＦＥＴ１がオンの期間、電流はＦＥＴ１→ＬＥＤアレイ２ａの経路で流れ、ＬＥＤアレイ２ａのみが発光することからその発光色は５０００Ｋとなる。逆にＦＥＴ２がオンの場合はＬＥＤアレイ１ａの発光色、即ち、３０００Ｋとなる。したがって、ＦＥＴ１及びＦＥＴ２を所定の周期でオン／オフ制御することで３０００Ｋ〜５０００Ｋの間の光色を自由に作り出すことができる。このとき、一方のＬＥＤのみに電流が流れている期間では、合成の光束が低下してしまう。明るさ一定で光色を変更する場合、ＬＥＤアレイ１ａ及びＬＥＤアレイ２ａがそれぞれ同じ電流が供給されると略同じ光束の光を発するものであれば、ＦＥＴ１及びＦＥＴ２の一方のみがオンしている期間は、出力定電流回路４０の出力電流を２倍とすることで明るさを一定に制御可能である。なお、ＬＥＤアレイ１ａ及びＬＥＤアレイ２ａがそれぞれ同じ電流が供給されても異なる光束の光を発するものであっても、ＦＥＴ１及びＦＥＴ２の一方のみがオンしている期間は、出力定電流回路４０の出力電流をＬＥＤアレイ１ａ及びＬＥＤアレイ２ａの光束比（同じ電流を流したときの光束の比率）に合わせて調節することで明るさを一定に制御可能である。
【００３１】
また、光色一定で合成の明るさだけを変更したい場合は、ＦＥＴ１及びＦＥＴ２のオン／オフ制御状態を一定にしたまま、出力定電流回路４０の出力を変更することで実現できる。ＦＥＴ１及びＦＥＴ２のオン／オフ周期は、人間の目がちらつきとして認識できない周波数以上（一般には２００Ｈｚ以上）であることが望ましい。
【００３２】
以下、図３（ａ）及び（ｂ）の例について詳細に説明する。ここでは、ＬＥＤアレイ１ａを構成する第１光色ＬＥＤ（色温度は３０００Ｋ）及びＬＥＤアレイ２ａを構成する第２光色ＬＥＤ（色温度は５０００Ｋ）は、例として、いずれも０．４Ａの電流が入力されると１００％の光出力で点灯し、光出力は電流値に比例するものとする。なお、第１光色ＬＥＤ及び第２光色ＬＥＤの特性は、これに限るものではない。
【００３３】
図３（ａ）の例において、電源装置２０の制御回路６０は、出力定電流回路４０を制御して、その出力電流を０．４Ａにする。制御回路６０は、色温度制御回路５０を制御して、ＦＥＴ１を１周期の２５％オンにし、ＦＥＴ２を常時オフにする。ＦＥＴ１が１周期の２５％オンであるため、ＬＥＤアレイ１ａ（ＬＥＤ１）は１周期の７５％のみ１００％（照明装置１０全体の５０％）の光出力で点灯し、１周期の２５％は消灯する。一方、ＦＥＴ２が常時オフであるため、ＬＥＤアレイ２ａ（ＬＥＤ２）は常時１００％（照明装置１０全体の５０％）の光出力で点灯する。これにより、照明装置１００が発する光の（見た目の）明るさは８７．５％（＝１００×０．７５＋５０×０．２５）、（見た目の）色温度は４２５０Ｋ（＝４０００×０．７５＋５０００×０．２５）となる。なお、この例では、調光信号として、デューティ比が１２．５％のＰＷＭ信号（調光度８７．５％を指令する信号）が制御回路６０に入力されているものとする。また、色温度信号として、デューティ比が４６．８７５％のＰＷＭ信号（色温度４２５０Ｋを指令する信号）が制御回路６０に入力されているものとする。
【００３４】
ＦＥＴ１のオン／オフに関わらず、ＦＥＴ２がオフの期間でＬＥＤアレイ２ａのいずれかのＬＥＤがオープン故障すると、直列接続されたＬＥＤアレイ１ａ及びＬＥＤアレイ２ａには電流が流れなくなるため、ＬＥＤアレイ１ａ及びＬＥＤアレイ２ａは消灯する。
【００３５】
このとき、出力定電流回路４０はＬＥＤに定電流を流すためにその出力電圧を上昇させる。電圧検出回路７０は、この出力電圧を電圧検出抵抗７１と電圧検出抵抗７２とで分圧し、保護回路８０のコンパレータ８１に印加する。コンパレータ８１の基準電圧８２は予め直列接続されたＬＥＤの両端電圧より高く、出力定電流回路４０の無負荷時の出力電圧より低く設定されている。そのため、コンパレータ８１はその出力電圧を（ＬｏｗからＨｉに）反転させ、異常検出信号として制御回路６０に印加する。
【００３６】
制御回路６０は、ＦＥＴ１をオン／オフ制御、ＦＥＴ２をオフ維持制御している中で保護回路８０が保護動作をした（異常検出信号が出力された）ことからＬＥＤアレイ２ａでＬＥＤがオープン故障したと推定する。そして、制御回路６０は、ＦＥＴ２をオフから常時オンとなるよう制御を変更するとともに、ＦＥＴ１を常時オフとなるように制御する。これによりＬＥＤアレイ１ａは点灯を継続することができる。
【００３７】
このように、制御回路６０は、少なくともＦＥＴ２を常時オフにした状態で、保護回路８０から異常検出信号が出力された場合、ＬＥＤアレイ２ａにてＬＥＤのオープン故障が発生したと推定する。そして、制御回路６０は、色温度制御回路５０を制御して、ＦＥＴ１を常時オフにし、ＦＥＴ２を常時オンにする。ＦＥＴ１が常時オフであり、ＦＥＴ２が常時オンであるため、ＬＥＤアレイ２ａにオープン故障したＬＥＤが含まれていても、ＬＥＤアレイ１ａは常時１００％の光出力で点灯する。これにより、照明装置１００が発する光の（見た目の）明るさは５０％、（見た目の）色温度は３０００Ｋとなる。
【００３８】
ここで、ＬＥＤアレイ２ａにてＬＥＤのオープン故障が発生したのではなく、ＬＥＤアレイ１ａにてＬＥＤのオープン故障が発生したとしても、保護回路８０は、上記と同様に動作して異常検出信号を出力する。そのため、制御回路６０は、一旦ＦＥＴ１を常時オフにし、ＦＥＴ２を常時オンにする制御をした後、保護回路８０からの異常検出信号の出力が継続して出力されているか否かを判定する。制御回路６０は、異常検出信号が継続して出力されていないと判定した場合、ＬＥＤアレイ２ａにてＬＥＤのオープン故障が発生したという推定が正しかったと判断する。一方、制御回路６０は、異常検出信号が継続して出力されていると判定した場合、ＬＥＤアレイ２ａにてＬＥＤのオープン故障が発生したのではなく、ＬＥＤアレイ１ａにてＬＥＤのオープン故障が発生したと判断する。そして、制御回路６０は、色温度制御回路５０を制御して、ＦＥＴ１を常時オンにし、ＦＥＴ２を常時オフにする。ＦＥＴ１が常時オンであり、ＦＥＴ２が常時オフであるため、ＬＥＤアレイ１ａにオープン故障したＬＥＤが含まれていても、ＬＥＤアレイ２ａは常時１００％の光出力で点灯する。これにより、照明装置１００が発する光の（見た目の）明るさは５０％、（見た目の）色温度は５０００Ｋとなる。
【００３９】
この例では、ＬＥＤアレイ１ａ及びＬＥＤアレイ２ａが上記のように発光色が異なる設定にしてあるため、ＬＥＤアレイ１ａ及びＬＥＤアレイ２ａのどちらが故障したかを目視で確認でき、その故障修理を短時間で実施することができる。
【００４０】
図３（ａ）の例とは逆に、制御回路６０がＦＥＴ１をオフ維持制御、ＦＥＴ２をオン／オフ制御している中でＬＥＤアレイ１ａのいずれかのＬＥＤがオープン故障した場合、図３（ｂ）に示すように、制御回路６０は、ＦＥＴ１をオフから常時オンとなるよう制御を変更するとともに、ＦＥＴ２を常時オフとなるように制御する。これによりＬＥＤアレイ２ａは点灯を継続することができる。
【００４１】
このように、制御回路６０は、少なくともＦＥＴ１を常時オフにした状態で、保護回路８０から異常検出信号が出力された場合、ＬＥＤアレイ１ａにてＬＥＤのオープン故障が発生したと推定する。なお、ＦＥＴ１もＦＥＴ２も常時オフにしている場合、制御回路６０は、ＬＥＤアレイ２ａにてＬＥＤのオープン故障が発生したと推定して、図３（ａ）の例のように動作してもよい。制御回路６０は、ＬＥＤアレイ１ａにてＬＥＤのオープン故障が発生したと推定すると、色温度制御回路５０を制御して、一旦ＦＥＴ１を常時オンにし、ＦＥＴ２を常時オフにする。その後、制御回路６０は、保護回路８０からの異常検出信号の出力が継続して出力されているか否かを判定する。制御回路６０は、異常検出信号が継続して出力されていないと判定した場合、ＬＥＤアレイ１ａにてＬＥＤのオープン故障が発生したという推定が正しかったと判断する。一方、制御回路６０は、異常検出信号が継続して出力されていると判定した場合、ＬＥＤアレイ１ａにてＬＥＤのオープン故障が発生したのではなく、ＬＥＤアレイ２ａにてＬＥＤのオープン故障が発生したと判断する。そして、制御回路６０は、色温度制御回路５０を制御して、ＦＥＴ１を常時オフにし、ＦＥＴ２を常時オンにする。
【００４２】
なお、図３（ａ）及び（ｂ）では、ＦＥＴ１及びＦＥＴ２のいずれか一方がスイッチング動作し、他方が常時オフの状態でＬＥＤにオープン故障が発生する例を示しているが、ＦＥＴ１及びＦＥＴ２の両方がスイッチング動作している状態や、ＦＥＴ１及びＦＥＴ２のいずれか一方が常時オンの状態等でＬＥＤにオープン故障が発生する場合でも、同様の動作で対応可能である。いずれの場合でも、保護回路８０が異常検出信号を出力することになるため、制御回路６０は、異常検出信号に基づき、ＬＥＤアレイ１ａ又はＬＥＤアレイ２ａでＬＥＤのオープン故障が発生したと推定して、前述した動作を行えばよい。このとき、ＦＥＴ１及びＦＥＴ２のいずれか一方が常時オンの状態であれば、そのＦＥＴとは別のＦＥＴに接続されたＬＥＤアレイでＬＥＤのオープン故障が発生したと最初から判断できる。
【００４３】
以上のように、本実施の形態によれば、共通の出力定電流回路４０に接続されたＬＥＤの１つがオープン故障した場合に他のＬＥＤを保護することができる。また、そのような場合に他のＬＥＤを点灯させることにより一定の明るさを確保することができる。即ち、直列接続したＬＥＤがオープン故障した際に、全てのＬＥＤが消灯して、真っ暗になることを防止できる。また、その照明からの光が変化する（例えば、明るさが半減したり、色温度が変化したりする）ため、どのＬＥＤ（発光部）が故障しているかを目視確認でき、その故障修理を短期間に実施することができる。
【００４４】
また、本実施の形態では、電源装置２０が備える出力定電流回路４０が１つであるため、電源装置２０を安価に構成できるだけでなく、ＬＥＤの電流をバイパスするスイッチ素子（ＦＥＴ１及びＦＥＴ２）の損失が非常に小さいため、照明装置１０全体で効率を高くすることができる。さらにスイッチ素子をオン／オフするだけの簡単な構成のため照明装置１０全体を安価にすることができる。
【００４５】
なお、ＬＥＤアレイ１ａ及びＬＥＤアレイ２ａの発光色は、それぞれ３０００Ｋ、５０００Ｋ以外でもよく、例えば４２００〜６５００Ｋの白色又は昼白色と２７００〜３０００Ｋの電球色とを組み合わせることで、実用的な色可変のＬＥＤ照明を得ることができる。また、ＬＥＤアレイ１ａ及びＬＥＤアレイ２ａは、全て同じ光色のＬＥＤで構成されている必要はなくＦＥＴ１及びＦＥＴ２をオフしたときの合成の光色（色温度）によって選択すればよい。例えば、ＬＥＤアレイ１ａは４個とも色温度が３０００ＫのＬＥＤで構成し、ＬＥＤアレイ２ａは５０００ＫのＬＥＤを２個と３０００ＫのＬＥＤを２個有するように構成すると、全てのＬＥＤが発光したときに得られる発光色の色温度を３５００Ｋとすることができる。また、本実施の形態では、ＬＥＤアレイ１ａ及びＬＥＤアレイ２ａは、それぞれ４個のＬＥＤで構成されているが、３個以下のＬＥＤあるいは５個以上のＬＥＤで構成されていてもよい。あるいは、ＬＥＤアレイ１ａ及びＬＥＤアレイ２ａを、それぞれ１つのＬＥＤに置き換えてもよい。また、ＬＥＤアレイ１ａ及びＬＥＤアレイ２ａは、互いに異なる数のＬＥＤで構成されていてもよい。
【００４６】
本実施の形態では、ＬＥＤモジュール１１が２つの発光部（ＬＥＤアレイ１ａ、ＬＥＤアレイ２ａ）で構成されているが、ＬＥＤモジュール１１は、３つ以上の発光部で構成されていてもよい。発光部が３つ以上あり、そのうちの１つの発光部にてＬＥＤのオープン故障が発生した場合、制御回路６０は、保護回路８０がＬＥＤのオープン故障を検出した発光部に接続されたスイッチ素子をオンになるように制御するとともに、保護回路８０がＬＥＤのオープン故障を検出した発光部に接続されたスイッチ素子以外の少なくとも１つのスイッチ素子をオフになるように制御する。これにより、全てのＬＥＤが消灯することを防げる。
【００４７】
本実施の形態では、電源装置２０の制御回路６０が、調光信号のデューティ比が大きいほど、光源が暗く点灯するように制御するが、調光信号のデューティ比が大きいほど、光源が明るく点灯するように制御してもよい。また、本実施の形態では、制御回路６０が、色温度信号のデューティ比が大きいほど、光源の色温度が低くなるように制御するが、色温度信号のデューティ比が大きいほど、光源の色温度が高くなるように制御してもよい。
【００４８】
本実施の形態では、電源装置２０の保護回路８０が、電圧検出回路７０から印加される電圧を基準電圧８２と比較してＬＥＤの異常（オープン故障）の有無を判定するが、出力定電流回路４０の電流検出抵抗４６とＬＥＤとの間に接続点を追加し、この接続点から印加される電圧を基準電圧８２と比較してＬＥＤの異常（オープン故障）の有無を判定してもよい。電圧検出回路７０を用いる場合、保護回路８０は、基準電圧８２よりも高い電圧が印加されたとき、ＬＥＤに異常（オープン故障）ありと判定する。例えば、制御回路６０がＦＥＴ１をオンにしているときに、保護回路８０に基準電圧８２よりも高い電圧が入力されたとき、制御回路６０は、ＬＥＤアレイ２ａのいずれかのＬＥＤに異常（オープン故障）が発生していると判断する。一方、電流検出抵抗４６を用いる場合、保護回路８０は、基準電圧８２よりも低い電圧が入力されたとき、ＬＥＤに異常（オープン故障）ありと判定する。例えば、制御回路６０がＦＥＴ１をオンにしているときに、保護回路８０に電圧が入力されない（基準電圧８２よりも低い電圧が入力された）とき、制御回路６０は、ＬＥＤアレイ２ａに異常（オープン故障）が発生していると判断する。
【００４９】
実施の形態２．
本実施の形態について、主に実施の形態１との差異を説明する。
【００５０】
図４は、本実施の形態に係る照明装置１０（一部のみ）の回路図である。
【００５１】
本実施の形態では、実施の形態１と同様のＬＥＤアレイを３個直列接続し、また、各ＬＥＤアレイに対応するスイッチ素子も３個直列接続している。その他の構成については、図１に示した実施の形態１に係る照明装置１０と同様である。
【００５２】
電源装置２０（色温度制御回路５０）には、直列接続されたＬＥＤアレイ１ａ（第１発光部）とＬＥＤアレイ２ａ（第２発光部）とＬＥＤアレイ３ａ（第３発光部）が接続される。色温度制御回路５０は、ＬＥＤアレイ１ａとＬＥＤアレイ２ａとＬＥＤアレイ３ａのそれぞれに並列に接続される３つのスイッチ素子（ＦＥＴ１、ＦＥＴ２、ＦＥＴ３）を備える。
【００５３】
ＬＥＤアレイ１ａとＬＥＤアレイ２ａは、例えば同じ色温度（例えば５０００Ｋ）のＬＥＤをそれぞれ３個ずつ備えている。ＬＥＤアレイ３ａは、例えば赤色のＬＥＤを２個備えている。
【００５４】
電源装置２０（色温度制御回路５０）は、ＦＥＴ１、ＦＥＴ２、ＦＥＴ３を個別にオン／オフ制御することにより、ＬＥＤアレイ１ａ、ＬＥＤアレイ２ａ、ＬＥＤアレイ３ａを点灯制御し、それぞれの発光色を混合して電球色を精度よく作り出す。例えば、ＦＥＴ３のオン時間の比を変更することでＬＥＤアレイ３ａの発光量を変化させ、ＬＥＤアレイ１ａ、ＬＥＤアレイ２ａ、ＬＥＤアレイ３ａの合成光が色度図上の電球色の範囲内の光となるようにする。
【００５５】
現状の白色ＬＥＤは、光色（色温度）、光束にばらつきがあり、ＬＥＤを無選別で組み合わせると目標の光色や光束が得られない。しかしながら、本実施の形態では、ＦＥＴ１、ＦＥＴ２、ＦＥＴ３のオン／オフを制御して色度を調整することにより、目標の光色を得ることができる。また、出力定電流回路４０の出力電流を調整することにより、目標の光束を得ることができる。
【００５６】
このように、本実施の形態では、スイッチ素子と並列接続のＬＥＤの組み合わせ数を増やすことで、ＬＥＤがオープン故障した際の照度の低下（明るさへの影響）を小さくすることができる。また、個別にオン／オフ制御されるＬＥＤアレイの数を増やすことで、実施の形態１と比べて、さらにきめ細かい色温度や明るさの制御が可能になる。
【００５７】
実施の形態３．
本実施の形態について、主に実施の形態１との差異を説明する。
【００５８】
図５は、本実施の形態に係る照明装置１０の回路図である。
【００５９】
実施の形態１では、ＬＥＤモジュール１１のＬＥＤアレイ１ａとＬＥＤアレイ２ａとが互いに直列に接続されている。そして、色温度制御回路５０のＦＥＴ１がＬＥＤアレイ１ａと、ＦＥＴ２がＬＥＤアレイ２ａと、それぞれ並列に接続されている。これに対し、本実施の形態では、ＬＥＤモジュール１１のＬＥＤアレイ１ａとＬＥＤアレイ２ａとが互いに並列に接続されている。そして、色温度制御回路５０のＦＥＴ１がＬＥＤアレイ１ａと、ＦＥＴ２がＬＥＤアレイ２ａと、それぞれ直列に接続されている。したがって、ＦＥＴ１がオンになるとＬＥＤアレイ１ａが点灯可能となり、ＦＥＴ２がオンになるとＬＥＤアレイ２ａが点灯可能になる。制御回路６０は、実施の形態１と同様に、ＦＥＴ駆動回路５１を制御してＦＥＴ１のオン／オフを所定の周期で切り替えることで、ＦＥＴ１に接続されたＬＥＤアレイ１ａをその周期で点滅させるが、実施の形態１とはオンとオフを逆に制御することになる。
【００６０】
図６（ａ）及び（ｂ）は、照明装置１０の動作例を示すタイミングチャートである。
【００６１】
例えばＬＥＤアレイ１ａが３０００Ｋの発光色、ＬＥＤアレイ２ａが５０００Ｋの発光色とすれば、ＦＥＴ１及びＦＥＴ２がオンの期間は出力定電流回路４０はＬＥＤアレイ１ａ→ＦＥＴ１、ＬＥＤアレイ２ａ→ＦＥＴ２のそれぞれ経路に電流を流し、ＬＥＤアレイ１ａ及びＬＥＤアレイ２ａの合成発光色は４５００Ｋとすることができる。一方、ＦＥＴ１がオフの期間、電流はＬＥＤアレイ２ａ→ＦＥＴ２の経路のみで流れ、ＬＥＤアレイ２ａのみが発光することからその発光色は５０００Ｋとなる。逆にＦＥＴ２がオフの場合はＬＥＤアレイ１ａの発光色、即ち、３０００Ｋとなる。したがって、ＦＥＴ１及びＦＥＴ２を所定の周期でオン／オフ制御することで３０００Ｋ〜５０００Ｋの間の光色を自由に作り出すことができる。
【００６２】
以下、図６（ａ）及び（ｂ）の例について詳細に説明する。ここでも、ＬＥＤアレイ１ａを構成する第１光色ＬＥＤ（色温度は３０００Ｋ）及びＬＥＤアレイ２ａを構成する第２光色ＬＥＤ（色温度は５０００Ｋ）は、例として、いずれも０．４Ａの電流が入力されると１００％の光出力で点灯し、光出力は電流値に比例するものとする。なお、第１光色ＬＥＤ及び第２光色ＬＥＤの特性は、これに限るものではない。
【００６３】
図６（ａ）の例において、電源装置２０の制御回路６０は、出力定電流回路４０を制御して、その出力電流を０．４Ａにする。制御回路６０は、色温度制御回路５０を制御して、ＦＥＴ１を１周期の２５％オンにし、ＦＥＴ２を１周期の７５％オンにする。このとき、制御回路６０は、ＦＥＴ１とＦＥＴ２とが交互にオンになるように（オン／オフが反転するように）制御する。ＦＥＴ１が１周期の２５％オンであるため、ＬＥＤアレイ１ａ（ＬＥＤ１）は１周期の２５％のみ１００％（照明装置１０全体の１００％）の光出力で点灯し、１周期の７５％は消灯する。一方、ＦＥＴ２が１周期の７５％オンであるため、ＬＥＤアレイ２ａ（ＬＥＤ２）は１周期の７５％のみ１００％（照明装置１０全体の１００％）の光出力で点灯し、１周期の２５％は消灯する。これにより、照明装置１００が発する光の（見た目の）明るさは１００％、（見た目の）色温度は４５００Ｋ（＝３０００×０．２５＋５０００×０．７５）となる。なお、この例では、調光信号として、デューティ比が０％のＰＷＭ信号（調光度１００％を指令する信号）が制御回路６０に入力されているものとする。また、色温度信号として、デューティ比が４３．７５％のＰＷＭ信号（色温度４５００Ｋを指令する信号）が制御回路６０に入力されているものとする。
【００６４】
ＦＥＴ２がオンの期間でＬＥＤアレイ２ａのいずれかのＬＥＤがオープン故障すると、ＬＥＤアレイ２ａには電流が流れなくなるため、ＬＥＤアレイ２ａは消灯する。ＦＥＴ１がオフの期間に入ると、ＬＥＤアレイ１ａも消灯する。
【００６５】
このとき、出力定電流回路４０はＬＥＤに定電流を流すためにその出力電圧を上昇させる。電圧検出回路７０は、この出力電圧を電圧検出抵抗７１と電圧検出抵抗７２とで分圧し、保護回路８０のコンパレータ８１に印加する。コンパレータ８１の基準電圧８２は予め直列接続されたＬＥＤの両端電圧より高く、出力定電流回路４０の無負荷時の出力電圧より低く設定されている。そのため、コンパレータ８１はその出力電圧を（ＬｏｗからＨｉに）反転させ、異常検出信号として制御回路６０に印加する。
【００６６】
制御回路６０は、ＦＥＴ２をオン制御している中で保護回路８０が保護動作をした（異常検出信号が出力された）ことからＬＥＤアレイ２ａでＬＥＤがオープン故障したと判断する。そして、制御回路６０は、ＦＥＴ２を常時オフとなるように制御するとともに、ＦＥＴ１を常時オンとなるように制御する。これによりＬＥＤアレイ１ａは点灯を継続することができる。
【００６７】
このように、制御回路６０は、ＦＥＴ２のみがオンの状態で、保護回路８０から異常検出信号が出力された場合、ＬＥＤアレイ２ａにてＬＥＤのオープン故障が発生したと判定する。そして、制御回路６０は、色温度制御回路５０を制御して、ＦＥＴ１を常時オンにし、ＦＥＴ２を常時オフにする。ＦＥＴ１が常時オンであり、ＦＥＴ２が常時オフであるため、ＬＥＤアレイ１ａは常時１００％の光出力で点灯する。これにより、照明装置１００が発する光の（見た目の）明るさは１００％、（見た目の）色温度は３０００Ｋとなる。
【００６８】
ここで、ＬＥＤアレイ２ａにてＬＥＤのオープン故障が発生したのではなく、ＬＥＤアレイ１ａにてＬＥＤのオープン故障が発生したとしても、保護回路８０は、上記と同様に動作して異常検出信号を出力する。上記のように、保護回路８０から異常検出信号が出力されたときにＦＥＴ２のみがオンの状態であれば、制御回路６０は、ＬＥＤアレイ２ａにてＬＥＤのオープン故障が発生したと判断してもよいが、実施の形態１と同様に、一旦ＬＥＤアレイ２ａにてＬＥＤのオープン故障が発生したと推定して動作してもよい。即ち、制御回路６０は、保護回路８０から異常検出信号が出力された場合、一旦ＦＥＴ１を常時オンにし、ＦＥＴ２を常時オフにする制御をした後、保護回路８０からの異常検出信号の出力が継続して出力されているか否かを判定する。制御回路６０は、異常検出信号が継続して出力されていないと判定した場合、ＬＥＤアレイ２ａにてＬＥＤのオープン故障が発生したという推定が正しかったと判断する。一方、制御回路６０は、異常検出信号が継続して出力されていると判定した場合、ＬＥＤアレイ２ａにてＬＥＤのオープン故障が発生したのではなく、ＬＥＤアレイ１ａにてＬＥＤのオープン故障が発生したと判断する。そして、制御回路６０は、色温度制御回路５０を制御して、ＦＥＴ１を常時オフにし、ＦＥＴ２を常時オンにする。ＦＥＴ１が常時オフであり、ＦＥＴ２が常時オンであるため、ＬＥＤアレイ２ａは常時１００％の光出力で点灯する。これにより、照明装置１００が発する光の（見た目の）明るさは１００％、（見た目の）色温度は５０００Ｋとなる。
【００６９】
この例では、図３（ａ）の例と同様に、ＬＥＤアレイ１ａ及びＬＥＤアレイ２ａが上記のように発光色が異なる設定にしてあるため、ＬＥＤアレイ１ａ及びＬＥＤアレイ２ａのどちらが故障したかを目視で確認でき、その故障修理を短時間で実施することができる。
【００７０】
図６（ａ）の例と異なり、制御回路６０がＦＥＴ１を１周期の５０％オンになるように制御し、ＦＥＴ２を１周期の５０％オンになるように制御している状態で、ＬＥＤアレイ１ａのいずれかのＬＥＤがオープン故障した場合、図６（ｂ）に示すように、制御回路６０は、ＦＥＴ１を常時オフとなるように制御するとともに、ＦＥＴ２を常時オンとなるように制御する。これによりＬＥＤアレイ２ａは点灯を継続することができる。
【００７１】
このように、制御回路６０は、ＦＥＴ１のみがオンの状態で、保護回路８０から異常検出信号が出力された場合、ＬＥＤアレイ１ａにてＬＥＤのオープン故障が発生したと判定する。そして、制御回路６０は、色温度制御回路５０を制御して、ＦＥＴ１を常時オフにし、ＦＥＴ２を常時オンにする。
【００７２】
なお、図６（ａ）及び（ｂ）では、ＦＥＴ１及びＦＥＴ２の両方が交互にオンになるようにスイッチング動作している状態でＬＥＤにオープン故障が発生する例を示しているが、ＦＥＴ１及びＦＥＴ２のいずれか一方がスイッチング動作し、他方が常時オンの状態等でＬＥＤにオープン故障が発生する場合でも、同様の動作で対応可能である。
【００７３】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００７４】
１  ＦＥＴ、１ａ  ＬＥＤアレイ、２  ＦＥＴ、２ａ  ＬＥＤアレイ、３  ＦＥＴ、３ａ  ＬＥＤアレイ、１０  照明装置、１１  ＬＥＤモジュール、２０  電源装置、３０  整流平滑回路、３１  ダイオードブリッジ、３２  平滑コンデンサ、４０  出力定電流回路、４１  ＦＥＴ、４２  抵抗、４３  チョークコイル、４４  トランジスタ、４５  ダイオード、４６  電流検出抵抗、４７  定電流制御回路、４８  電解コンデンサ、５０  色温度制御回路、５１  ＦＥＴ駆動回路、６０  制御回路、７０  電圧検出回路、７１  電圧検出抵抗、７２  電圧検出抵抗、８０  保護回路、８１  コンパレータ、８２  基準電圧、ＡＣ  商用交流電源。
【図１】
0005665382.tif 000002
【図２】
0005665382.tif 000003
【図３】
0005665382.tif 000004
【図４】
0005665382.tif 000005
【図５】
0005665382.tif 000006
【図６】
0005665382.tif 000007